(57)【要約】【課題】漏電検出精度が高く、自回路の有する漏電検出性能に対して信頼性の高い診断を行うことができる漏電検出診断回路及びそれを備えた電力供給装置を提供すること。【解決手段】漏電検出診断回路２は、電力を供給する電力供給用電線４と絶縁され、信号線８と、電力供給用電線４で発生し得る漏電電流Ｉ１に対応した診断用信号Ｓ２を生成して信号線８に出力する信号生成部５と、電力供給用電線４及び信号線８を一次側６１１に通し、信号線８に出力された診断用信号Ｓ２に基づいて二次側巻線６１２に誘導電流Ｉ２を誘起する零相変流器６１と、誘導電流Ｉ２に基づいて漏電を検出し、漏電検出信号Ｓ３を出力する漏電検出回路６２と、漏電検出信号Ｓ３に基づいて自回路２が有する漏電検出性能を診断するマイクロコントローラ７とを備える。【選択図】図１
2014011909.tif 000002
【特許請求の範囲】
【請求項１】
電力を供給する電力供給線と絶縁された信号線と、
前記電力供給線で発生し得る漏電電流に対応した前記診断用信号を生成して前記信号線に出力する信号生成部と、
前記電力供給線及び前記信号線を一次側に通し、信号線に出力された前記診断用信号に基づいて二次側巻線に誘導電流を誘起する零相変流器と、
前記誘導電流に基づいて漏電を検出し、漏電検出信号を出力する漏電検出回路と、
前記漏電検出信号に基づいて自回路が有する漏電検出性能を診断する診断部とを備えた漏電検出診断回路。
【請求項２】
前記信号生成部は、前記電力供給線で発生し得る漏電電流の位相と逆位相とならないように位相が制御された前記診断用信号を出力する請求項１記載の漏電検出診断回路。
【請求項３】
前記診断部は、前記漏電電流を模した電圧値又は電流値を表す振幅データを前記信号生成部に出力し、
前記信号生成部は、前記振幅データをアナログ信号に変換して前記診断用信号を生成する請求項１又は２記載の漏電検出診断回路。
【請求項４】
前記信号生成部は、前記診断部から出力される前記振幅データを予め定められた周波数に同期して前記アナログ信号に変換する変換回路と、
前記アナログ信号をフィルタリング処理による整形を行い、前記診断用信号を生成する整形回路とを備えた請求項３記載の漏電検出診断回路。
【請求項５】
電力供給線を遮断する遮断部を有する電力供給装置において、
請求項１乃至４のいずれか１項記載の漏電検出診断回路を備え、
前記診断部は、漏電電流に基づいて前記漏電検出診断回路から漏電検出信号が出力されたとき、遮断信号を前記遮断部に出力して前記電力供給線を遮断させる電力供給装置。
【発明の詳細な説明】
【技術分野】
【０００１】
本発明は、漏電検出診断回路及びそれを備えた電力供給装置に関する。
【背景技術】
【０００２】
電力供給装置の絶縁故障等による電力供給用電線の漏電によって漏電電流が発生することがある。このため、電力供給装置には確実に漏電を検出する漏電検出機能が求められており、従来、このような漏電検出機能を有する漏電リレーが提案されている（例えば、特許文献１参照）。
【０００３】
特許文献１には、電源の電圧とテスト抵抗によって定められるテスト電流が流れるテスト巻線と、テスト巻線と接続するテストスイッチと、テストスイッチを押し下げることでテスト電流がテスト巻線に通電し、二次側巻線に誘導電流を誘起する零相変流器と、零相変流器の二次側巻線に誘導される誘導電流を検出する漏電検出回路と、漏電検出回路の動作をテストする漏電テスト回路とを備える漏電リレーが記載されている。この漏電リレーによると、テストスイッチを押し下げることでテスト電流が零相変流器を流れ、これにより、零相変流器の二次側巻線に誘電電流が誘導される。この誘電電流に基づいて漏電検出回路により漏電が検出される。
【先行技術文献】
【特許文献】
【０００４】
【特許文献１】特開２００２−０４４８５６号公報
【発明の概要】
【発明が解決しようとする課題】
【０００５】
しかし、従来の漏電リレーが備える漏電検出回路は、抵抗器やコンデンサ等の回路素子を介して高電圧部と接続されている。このため、漏電検出回路は、抵抗器やコンデンサ等の回路素子の故障による高電圧部との短絡や、高電圧部で発生するノイズの混入によって漏電検出回路が損傷することが懸念される。
【０００６】
また、電源や抵抗器の経時的劣化により、テスト電流が当初の電流値から変動し、高精度な漏電検出が行えない場合がある。
【０００７】
したがって本発明の目的は、漏電検出精度が高く、漏電検出診断回路が有する漏電検出性能に対して信頼性の高い診断を行うことができる漏電検出診断回路及びそれを備えた電力供給装置の提供にある。
【課題を解決するための手段】
【０００８】
本発明は、電力を供給する電力供給線と絶縁された信号線と、前記電力供給線で発生し得る漏電電流に対応した前記診断用信号を生成して前記信号線に出力する信号生成部と、前記電力供給線及び前記信号線を一次側に通し、信号線に出力された前記診断用信号に基づいて二次側巻線に誘導電流を誘起する零相変流器と、前記誘導電流に基づいて漏電を検出し、漏電検出信号を出力する漏電検出回路と、前記漏電検出信号に基づいて自回路が有する漏電検出性能を診断する診断部とを備えた漏電検出診断回路を提供する。
【０００９】
また、本発明は、上記課題を解決することを目的として、漏電検出診断回路と、前記電力供給線を遮断する遮断部とを備え、前記診断部は、漏電電流に基づいて前記漏電検出診断回路から漏電検出信号が出力されたとき、遮断信号を前記遮断部に出力して前記電力供給線を遮断させる電力供給装置を提供する。
【発明の効果】
【００１０】
本発明によれば、漏電検出精度が高く、漏電検出診断回路が有する漏電検出性能に対して信頼性の高い診断を行うことができる。
【図面の簡単な説明】
【００１１】
【図１】図１は、本発明の第１の実施の形態に係る電力供給装置の構成例を示す回路図である。
【図２】図２は、第１の実施の形態に係る漏電検出診断回路の動作の一例を示すフローチャートである。
【図３】図３（ａ）は、第１の実施の形態に係る変換回路から出力されるアナログ信号の波形の一例を示す図、図３（ｂ）は、第１の実施の形態に係る整形回路から出力される診断用信号の波形の一例を示す図である。
【図４】図４は、本発明の第２の実施の形態に係る電力供給装置の構成例を示す回路図である。
【図５】図５（ａ）は、第２の実施の形態に係る整形回路から出力される正弦波信号の波形の一例を示す図、図５（ｂ）は、第２の実施の形態に係る位相制御回路から出力される診断用信号の波形の一例を示す図、図５（ｃ）は、発生し得る漏電電流の波形の一例を示す図、図５（ｄ）は、（ｂ）の診断用信号と（ｃ）の漏電電流の合成波の一例を示す図である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［第１の実施の形態］
図１は、本発明の第１の実施の形態に係る電力供給装置の構成例を示す回路図である。この電力供給装置１は、自回路が有する漏電検出性能を診断する漏電検出診断回路２と、対象装置への電力を供給する電力供給用電線４と、電力供給用電線４の電路を遮断する遮断部３とを備える。以下、それぞれの構成について詳細に説明する。
【００１４】
漏電検出診断回路２は、本回路２の各部を制御すると共に電力供給装置１を制御するマイクロコントローラ７と、電力供給用電線４と絶縁され、信号生成部５から診断用信号Ｓ２が出力される信号線８とを備える。マイクロコントローラ７には、電力供給用電線４で発生し得る漏電電流Ｉ１に対応した診断用信号Ｓ２を生成して信号線８に出力する信号生成部５、漏電を検出して漏電検出信号Ｓ３をマイクロコントローラ７に出力する漏電検出部６、及びマイクロコントローラ７が出力する遮断信号Ｓ４に基づいて電力供給用電線４の電路を遮断する遮断部３が接続されている。
【００１５】
（マイクロコントローラ７の構成）
マイクロコントローラ７は、漏電検出部６が出力する漏電検出信号Ｓ３に基づいて漏電検出診断回路２が有する漏電検出性能を診断する。なお、マイクロコントローラ７は、診断部としても機能する。
【００１６】
マイクロコントローラ７は、漏電電流Ｉ１を模した電圧値又は電流値を表す振幅データＤ１を信号生成部５に順次出力する。また、マイクロコントローラ７は、漏電電流Ｉ１に基づいて漏電検出回路６２から漏電検出信号Ｓ３が出力されたとき、遮断信号Ｓ４を出力して遮断部３に電力供給用電線４の電路を遮断させる。
【００１７】
（信号生成部５の構成）
信号生成部５は、一端がマイクロコントローラ７に接続され、他端が信号線８を介して基準電位に接続される。信号生成部５は、マイクロコントローラ７が出力する振幅データＤ１に基づいて診断用信号Ｓ２を生成する。信号生成部５は、この生成した診断用信号Ｓ２を信号線８に出力する。
【００１８】
信号生成部５は、振幅データＤ１を予め定められた周波数に同期してアナログ信号Ｓ１に変換する変換回路５１と、アナログ信号Ｓ１をフィルタリング処理による整形をして診断用信号Ｓ２を出力する整形回路５２とを備える。
【００１９】
変換回路５１は、一端がマイクロコントローラ７に接続され、他端が整形回路５２に接続される。
【００２０】
整形回路５２は、変換回路５１から出力されるアナログ信号Ｓ１の直流成分を除去するハイパスフィルタ５２１と、インピーダンス変換を行うボルテージフォロア５２２と、アナログ信号Ｓ１の高周波成分を除去して歪みの少ない信号を出力するローパスフィルタ５２３と、ハイパスフィルタ５２１、ボルテージフォロア５２２、及びローパスフィルタ５２３の出力を増幅して信号線８に出力する増幅器５２４とを備える。
【００２１】
ハイパスフィルタ５２１は、一端が変換回路５１に接続され、他端がボルテージフォロア５２２に接続される。ハイパスフィルタ５２１は、コンデンサＣ１と、抵抗器Ｒ１とを備える。
【００２２】
コンデンサＣ１は、一端が変換回路５１に接続され、他端がボルテージフォロア５２２に接続される。抵抗器Ｒ１は、一端がコンデンサＣ１と、ボルテージフォロア５２２との間の節点に接続され、他端が基準電位に接続される。
【００２３】
ボルテージフォロア５２２は、一端がハイパスフィルタ５２１に接続され、他端がローパスフィルタ５２３に接続される。ボルテージフォロア５２２は、オペアンプＯＰ１を備える。オペアンプＯＰ１の非反転入力端子は、ハイパスフィルタ５２１に接続され、オペアンプＯＰ１の反転入力端子は、オペアンプＯＰ１の出力端子と、ローパスフィルタ５２３との間の節点に接続され、オペアンプＯＰ１の出力端子は、ローパスフィルタ５２３に接続される。
【００２４】
ローパスフィルタ５２３は、一端がボルテージフォロア５２２に接続され、他端が増幅器５２４に接続される。ローパスフィルタ５２３は、抵抗器Ｒ２と、コンデンサＣ２とを備える。抵抗器Ｒ２は、一端がボルテージフォロア５２２に接続され、他端が増幅器５２４に接続される。コンデンサＣ２は、一端が抵抗器Ｒ２と、増幅器５２４との間の節点に接続され、他端が基準電位に接続される。なお、ローパスフィルタ５２３のコンデンサＣ２の容量値、及び抵抗器Ｒ２の抵抗値は、例えば商用電源周波数である５０／６０ヘルツを取り出す時定数になるように設定される。
【００２５】
増幅器５２４は、一端がローパスフィルタ５２３に接続され、他端が信号線８に接続される。増幅器５２４は、オペアンプＯＰ２と、トランジスタＴｒ１、Ｔｒ２と、抵抗器Ｒ３，Ｒ４及びＲ５とを備える。
【００２６】
オペアンプＯＰ２の非反転入力端子は、ローパスフィルタ５２３に接続され、反転入力端子は、抵抗器Ｒ４を介して基準電位に接続される。オペアンプＯＰ２の出力端子は、分岐してトランジスタＴｒ１，Ｔｒ２のそれぞれのベースに接続される。トランジスタＴｒ１のコレクタは、Ｖ＋（プラス電源）に接続され、トランジスタＴｒ１のエミッタは、トランジスタＴｒ２のエミッタに接続され、トランジスタＴｒ２のコレクタは、Ｖ―（マイナス電源）に接続される。トランジスタＴｒ１及びＴｒ２は、オペアンプＯＰ２の出力を増幅する。
【００２７】
抵抗器Ｒ３は、一端がオペアンプＯＰ２の反転入力端子と抵抗器Ｒ４との間の節点に接続され、他端がトランジスタＴｒ１のエミッタとトランジスタＴｒ２のエミッタとの間の節点に接続される。抵抗器Ｒ５は、一端がトランジスタＴｒ１のエミッタとトランジスタＴｒ２のエミッタとの間の節点に接続され、他端が信号線８に接続される。
【００２８】
（漏電検出部６の構成）
漏電検出部６は、電力供給用電線４及び信号線８を一次側６１１に通し、信号線８に出力された診断用信号Ｓ２及び漏電電流Ｉ１に基づいて二次側巻線６１２に誘導電流Ｉ２を誘起する零相変流器６１と、誘導電流Ｉ２に基づいて漏電を検出し、漏電検出信号Ｓ３をマイクロコントローラ７に出力する漏電検出回路６２とを備える。
【００２９】
零相変流器６１は、一次側６１１を通る電力供給用電線４に発生し得る漏電によって生じる電流の不平衡によって二次側巻線６１２に誘導電流Ｉ２を誘導する。また、零相変流器６１は、信号生成部５から信号線８に診断用信号Ｓ２が出力されることで二次側巻線６１２に誘導電流Ｉ２を誘導する。
【００３０】
漏電検出回路６２は、二次側巻線６１２に誘起される誘導電流Ｉ２を検出したとき、マイクロコントローラ７に漏電検出信号Ｓ３を出力する。
【００３１】
（遮断部３の構成）
遮断部３は、電力供給用電線４の電路を遮断する電磁開閉器３１と、マイクロコントローラ７から出力される遮断信号Ｓ４に基づいて電磁開閉器３１を制御する開閉制御装置３２とを備える。
【００３２】
電磁開閉器３１は、第１及び第２の接点３１１、３１２と、コイル３１３とを備える。第１及び第２の接点３１１、３１２は、開閉制御装置３２からコイル３１３に電流が供給されたとき、オン状態（通電状態）となり、コイル３１３に電流が供給されないとき、オフ状態（遮断状態）となる。
【００３３】
開閉制御装置３２は、マイクロコントローラ７から遮断信号Ｓ４が出力されたとき、コイル３１３への電流の供給を停止して、電力供給用電線４の電路を遮断する。また、開閉制御装置３２は、マイクロコントローラ７から遮断信号Ｓ４が出力されていないとき、コイル３１３に電流を供給して、電力供給用電線４の電路を導通する。電力供給用電線４は、電力供給線の一例である。
【００３４】
（漏電検出診断回路２の動作）
（１）漏電検出診断回路２の概略の動作
図２は、漏電検出診断回路２の概略の動作の一例を示すフローチャートである。
【００３５】
マイクロコントローラ７は、予め定められたタイミングで漏電検出診断回路２が有する漏電検出性能の診断を開始する（ステップ１）。予め定められたタイミングには、例えば、充電を開始する前、充電中、充電終了後等がある。なお、漏電検出性能の診断は、電磁開閉器３１の第１及び第２の接点３１１、３１２がオフ状態（遮断状態）で行われる。
【００３６】
次に、漏電検出診断回路２が有する漏電検出性能の診断が開始されると、マイクロコントローラ７は、初期化処理を行う（ステップ２）。マイクロコントローラ７が行う初期化処理には、例えば外部への異常の通報の停止、振幅データＤ１の停止や、遮断信号Ｓ４の停止がある。
【００３７】
次に、マイクロコントローラ７は、振幅データＤ１を信号生成部５に出力する。信号生成部５は、マイクロコントローラ７が出力する振幅データＤ１をアナログ信号Ｓ１に変換し、診断用信号Ｓ２を生成して信号線８に出力する（ステップ３）。零相変流器６１は、信号線８に出力された診断用信号Ｓ２に基づいて二次側巻線６１２に誘導電流Ｉ２を発生させる。
【００３８】
次に、マイクロコントローラ７は、漏電検出回路６２から漏電検出信号Ｓ３が出力されているか否かを判断する（ステップ４）。
【００３９】
マイクロコントローラ７は、漏電検出回路６２から漏電検出信号Ｓ３が出力されていない場合には（ステップ４：Ｎｏ）、漏電検出診断回路２が有する漏電検出性能を異常と診断する（ステップ５）。マイクロコントローラ７は、漏電検出性能を異常と診断したとき、遮断信号Ｓ４を遮断部３に連続して出力し、電磁開閉器３１の第１及び第２の接点３１１、３１２をオフ状態（遮断状態）で保持する。また、マイクロコントローラ７は、電力供給装置１の使用者等に本電力供給装置１が使用できない旨を図示しないランプやブザーにより通知する。
【００４０】
マイクロコントローラ７は、漏電検出回路６２から漏電検出信号Ｓ３が出力されたときは（ステップ４：Ｙｅｓ）、漏電検出診断回路２が有する漏電検出性能を正常と判断する（ステップ６）。
【００４１】
マイクロコントローラ７は、漏電検出診断回路２が有する漏電検出性能を異常（ステップ５）、又は正常（ステップ６）と診断した後、信号生成部５に出力している振幅データＤ１を停止し、漏電検出性能の診断を終了する（ステップ７）。以下、漏電検出診断回路２の各部の動作について詳細に説明する。
【００４２】
（２）信号生成部５の動作
図３（ａ）は、信号生成部５の変換回路５１から出力されるアナログ信号Ｓ１の波形を示す図である。図３（ｂ）は、整形回路５２から出力される診断用信号Ｓ２の波形を示す図である。
【００４３】
変換回路５１は、マイクロコントローラ７が出力した振幅データＤ１をアナログ信号Ｓ１に変換して出力する。アナログ信号Ｓ１は、例えば、図３（ａ）に示すように、振幅値Ｖｓ、周期ｔの階段状の波形である。アナログ信号Ｓ１の振幅値Ｖｓは、振幅データＤ１に基づいた値に定められる。また、アナログ信号Ｓ１の周期ｔは、例えば商用電源の周波数に基づいて定められる。
【００４４】
次に、整形回路５２は、変換回路５１が出力したアナログ信号Ｓ１を整形して診断用信号Ｓ２を信号線８に出力する。診断用信号Ｓ２は、例えば、図３（ｂ）に示すように、振幅値Ｖｓ、周期ｔの正弦波である。
【００４５】
次に、図１に示す整形回路５２のハイパスフィルタ５２１は、変換回路５１から出力されたアナログ信号Ｓ１の直流成分を除去した信号をボルテージフォロア５２２に出力する。
【００４６】
次に、ボルテージフォロア５２２は、ハイパスフィルタ５２１から出力された信号をインピータンス変換してローパスフィルタ５２３に出力する。
【００４７】
次に、ローパスフィルタ５２３は、ボルテージフォロア５２２から出力された信号の高周波成分を除去した歪みの少ない信号を増幅器５２４に出力する。
【００４８】
次に、増幅器５２４は、ローパスフィルタ５２３から出力された信号を増幅した診断用信号Ｓ２を信号線８に出力する。このようにして、信号生成部５は、診断用信号Ｓ２を生成し、信号線８に出力する。
【００４９】
（３）漏電検出部６の動作
次に、零相変流器６１は、信号生成部５が信号線８に診断用信号Ｓ２を出力することで二次側巻線６１２に誘導電流Ｉ２を誘導する。
【００５０】
次に、漏電検出回路６２は、零相変流器６１の二次側巻線６１２に誘起される誘導電流Ｉ２を検出したとき、マイクロコントローラ７に漏電検出信号Ｓ３を出力する。
【００５１】
（４）遮断部３の動作
次に、遮断部３の開閉制御装置３２は、マイクロコントローラ７から遮断信号Ｓ４が連続して出力されると、電磁開閉器３１のコイル３１３への電流の供給を停止して第１及び第２の接点３１１、３１２をオフ状態（遮断状態）とする。これにより、電力供給用電線４から対象装置への電力供給が停止される。
【００５２】
（第１の実施の形態の効果）
上記した第１の実施の形態によると、以下の効果を奏する。
【００５３】
（ａ）電力供給用電線４と信号線８が絶縁されていることから、抵抗器やコンデンサ等の回路素子の故障による高電圧部との短絡や高電圧部で発生するノイズの混入によって漏電検出診断回路２が損傷を受けることが低減される。このため、漏電検出診断回路２が有する漏電検出性能の信頼性の高い診断を行うことができる。
【００５４】
（ｂ）信号生成部５から出力される漏電電流Ｉ１を模した診断用信号Ｓ２を用いて漏電検出診断回路２が有する漏電検出性能の診断を行うことで、診断時の状態を漏電発生時の状態に近づけることが可能となる。この結果、精度の高い漏電検出性能の診断が可能になる。
【００５５】
（ｃ）信号生成部５がマイクロコントローラ７から順次出力される振幅データＤ１に基づいて診断用信号Ｓ２を生成して出力することにより、
診断用信号Ｓ２は、電源の出力電圧の低下に関わらず出力電流を保つことができる。この結果、上記（２）に記載した効果と相まって、より一層精度の高い漏電検出性能の診断が可能になる。
【００５６】
（ｄ）変換回路５１から出力されたアナログ信号Ｓ１は、漏電電流Ｉ１を模するのに不要な直流成分及び高周波成分が重畳しているため、漏電電流Ｉ１との類似性が低い。したがって、変換回路５１から出力されたアナログ信号Ｓ１を精度の高い漏電検出性能の診断に用いるのは適当でない。本実施の形態では、整形回路５２が変換回路５１から出力されるアナログ信号Ｓ１を整形して診断用信号Ｓ２を信号線８に出力する。このため、漏電検出診断回路２は、漏電電流Ｉ１と類似性が高い診断用信号Ｓ２を用いた診断が可能になる。
【００５７】
（ｅ）マイクロコントローラ７は、予め定められたタイミングで漏電検出診断回路２が有する漏電検出性能の診断の開始をすることができるので、使用者などの手を煩わせることなく漏電検出性能の診断を行うことが可能である。
【００５８】
［第２の実施の形態］
図４は、本発明の第２の実施の形態に係る電力供給装置の構成例を示す回路図である。
【００５９】
第１の実施の形態では、信号生成部５の整形回路５２は、診断用信号Ｓ２を基準電位に接続された信号線８に出力していたが、本実施の形態では、信号生成部５Ａの整形回路５２は、自回路５２で整形した正弦波信号Ｓ５を位相制御回路５３に出力する。
【００６０】
すなわち、本実施の形態に係る漏電検出診断回路２は、マイクロコントローラ７と、信号生成部５Ａと、漏電検出部６と、信号線８とを備える。信号生成部５Ａは、変換回路５１と、整形回路５２と、整形回路５２が出力した正弦波信号Ｓ５の位相を制御する位相制御回路５３とを備える。以下、第１の実施の形態と異なる点を中心に説明する。
【００６１】
位相制御回路５３は、一端が整形回路５２の増幅器５２４と接続され、他端が信号線８に接続される。漏電検出診断回路２が有する診断性能の診断時に位相制御回路５３は、電力供給用電線４の電路で発生し得る漏電電流Ｉ１の位相と逆位相とならないように位相が制御された診断用信号Ｓ６を出力する。
【００６２】
（第２の実施の形態の動作）
図５（ａ）は、整形回路５２から出力された正弦波信号Ｓ５の波形を示す図である。図５（ｂ）は、位相制御回路５３から出力された診断用信号Ｓ６の波形を示す図である。図５（ｃ）は、発生しうる漏電電流Ｉ１の波形を示す図である。図５（ｄ）は、（ｂ）診断用信号Ｓ６と（ｃ）漏電電流Ｉ１の合成波を示す図である。以下、第１の実施の形態と異なる点を中心に説明する。
【００６３】
整形回路５２は、図５（ａ）に示すように、振幅がＶ１、周期がＴである正弦波信号Ｓ５を位相制御回路５３に出力する。
【００６４】
位相制御回路５３は、整形回路５２から出力された正弦波信号Ｓ５の位相を制御して診断用信号Ｓ６を信号線８に出力する。すなわち、位相制御回路５３は、図５（ｂ）に示すように、正弦波信号Ｓ５を一周期毎に、ｔ１の間だけ振幅が０Ｖとなるように位相を制御した、振幅がＶ２、周期がＴである診断用信号Ｓ６を信号線８に出力する。
【００６５】
ここで、漏電電流Ｉ１が、図５（ｃ）に示すように、振幅がＶ３、周期がＴであり、整形回路５２から出力された正弦波信号Ｓ５と逆位相であるとする。
【００６６】
診断用信号Ｓ６及び漏電電流Ｉ１が零相変流器６１の二次側巻線６１２に誘導電流Ｉ２を誘導させることを考えると、誘導電流Ｉ２は、診断用信号Ｓ６と、漏電電流Ｉ１とを合成した合成波に基づいて二次側巻線６１２に誘導されると捉えることができる。
【００６７】
診断用信号Ｓ６と、漏電電流Ｉ１との合成波の波形は、図５（ｄ）に示される。合成波の第１周期（Ｔ１）の間は、診断用信号Ｓ６と漏電電流Ｉ１が打ち消しあって振幅が０Ｖとなるが、第２周期（Ｔ２）では、振幅がＶ４の波形となる。また、第３周期（Ｔ３）では、診断用信号Ｓ６と漏電電流Ｉ１が強め合って振幅が最大Ｖ５の波形となる。
【００６８】
その後は、第１の実施の形態と同様に、零相変流器６１の二次側巻線６１２は、診断用信号Ｓ６に基づいて誘導電流Ｉ２を誘起し、漏電検出回路６２は、誘導電流Ｉ２を検出して検出信号Ｓ３をマイクロコントローラ７に出力する。
【００６９】
次に、マイクロコントローラ７は、漏電検出信号Ｓ３に基づいて遮断部３に遮断信号Ｓ４を出力し、遮断部３は、遮断信号Ｓ４に基づいて電力供給用電線４の電路を遮断する。
【００７０】
（第２の実施の形態の効果）
本発明の第２の実施の形態によれば、漏電検出診断回路２は、信号生成部５Ａの位相制御回路５３が漏電電流Ｉ１の位相と逆位相とならないように位相が制御された診断用信号Ｓ６を信号線８に出力することにより、電力供給用電線４の電路に漏電が発生しているときであっても、漏電電流Ｉ１の干渉による診断用信号Ｓ６の減衰を防止できる。このことから、漏電検出診断回路２は、自回路２が有する漏電性能が異常と誤って診断されることを回避できる。
【００７１】
また、漏電検出診断回路２は、診断用信号Ｓ６と、漏電電流Ｉ１との振幅及び周期が同等で、かつ逆位相であったとしても、診断用信号Ｓ６と漏電電流Ｉ１の合成波が零相変流器６１の二次側巻線６１２に誘導電流Ｉ２を誘導するのに十分な振幅を得ることができる。この結果、漏電発生時においても漏電検出性能を信頼性の高い診断をすることができる。
【００７２】
［変形例］
以上、本発明の実施の形態を説明したが、本発明は、上記第１及び第２の実施の形態に限定されるものではなく、その要旨を逸脱しない範囲で種々の対応において実施することが可能である。例えば、漏電検出診断回路２は、マイクロコントローラ７等にスイッチ等の開閉器やコントローラ等を接続して、このスイッチ等の開閉やコントローラ等のコマンドに基づいて漏電検出診断回路２が有する漏電検出性能の診断を開始する構成とすることができる。
【００７３】
また、漏電検出部６は、漏電検出回路６２から零相変流器６１の二次側巻線６１２に信号を出力することにより、二次側巻線６１２の断線を検出できる構成としてもよい。
【００７４】
また、マイクロコントローラ７は、信号生成部５から出力される診断用信号Ｓ２の電流値を当初の電流値と比較し、これに基づく変換回路５１に出力する振幅データＤ１の振幅値の調整により診断用信号Ｓ２の電流値を保持する構成としてもよい。
【００７５】
また、漏電検出診断回路２が有する漏電検出性能の診断は、電磁開閉器３１の第１及び第２の接点３１１、３１２がオフ状態（遮断状態）で行われるものとして説明したが、第１及び第２の接点３１１、３１２がオン状態（通電状態）で漏電検出性能の診断が行われるように構成してもよい。
【００７６】
また、信号生成部５は、変換回路５１と、整形回路５２とを備えるものとして説明したが、信号生成部５に、新たな機能を有する回路を追加して診断用信号Ｓ２を出力する構成としてもよい。
【００７７】
また、整形回路５２は、ハイパスフィルタ５２１と、ボルテージフォロア５２２と、ローパスフィルタ５２３と、増幅器５２４とを備えるものとして説明したが、これらに新たな回路素子を追加したり、これらの回路素子のいずれかを削除したり、これらの回路素子を入れ替えた構成としてよい。
【００７８】
また、第２の実施の形態では、漏電検出診断回路２が有する漏電検出性能の診断時に位相制御回路５３は、整形回路５２から出力される信号の位相を制御して出力するものとして説明したが、漏電検出性能が異常と判断されたときは、正弦波信号Ｓ５の位相を制御して診断用信号Ｓ６を出力し、異常と判断されないときには、正弦波信号Ｓ５の位相を制御しないで診断用信号Ｓ６を出力する構成としてもよい。
【００７９】
また、第２の実施の形態では、診断用信号Ｓ６と、漏電電流Ｉ１との合成波が干渉により強め合うことから、零相変流器６１の二次側巻線６１２に誘導される誘導電流Ｉ２の振幅を漏電検出回路６２によって検出し、漏電検出診断回路２が有する漏電検出性能の診断時に、漏電の検出も同時に実行可能とする構成としてもよい。
【００８０】
また、第２の実施の形態では、位相制御部５３は、正弦波信号Ｓ５を１周期毎に波形を変位させた診断用信号Ｓ６を出力するものとして説明したが、正弦波信号Ｓ５を１周期でなく複数周期ごとに変位させた診断用信号Ｓ６を出力する構成としてもよい。
【００８１】
また、第２の実施の形態では、位相制御回路５３は、整形回路５２の後段に接続されているものとして説明したが、位相制御回路５３が例えば、一端がマイクロコントローラ７と接続され、他端が変換回路５１と接続される構成としてもよい。また、位相制御回路５３が有する診断用信号Ｓ６を位相制御する機能を例えば、マイクロコントローラ７によって実現する構成としてもよい。
【００８２】
なお、本発明の実施の形態は、本発明の要旨を変更しない範囲内で種々に変形実施が可能である。
【００８３】
また、本発明の要旨を変更しない範囲内で上記実施の形態の構成要素のうち一部を除くことも可能である。
【００８４】
また、本発明の要旨を変更しない範囲内で、上記実施の形態のフローにおいて、ステップの追加、削除、入替え等が可能である。
【符号の説明】
【００８５】
１…電力供給装置、２…漏電検出診断回路、３…遮断部、４…電力供給用電線、５…信号生成部、５Ａ…信号生成部、６…漏電検出部、７…マイクロコントローラ、８…信号線、３１…電磁開閉器、３２…開閉制御装置、５１…変換回路、５２…整形回路、５３…位相制御回路、６１…零相変流器、６２…漏電検出回路、３１１…第１の接点、３１２…第２の接点、３１３…コイル、５２１…ハイパスフィルタ、５２２…ボルテージフォロア、５２３…ローパスフィルタ、５２４…増幅器、６１１…一次側、６１２…二次側巻線、Ｃ１、Ｃ２…コンデンサ、ＯＰ１、ＯＰ２…オペアンプ、Ｒ１、Ｒ２、Ｒ３、Ｒ４，Ｒ５…抵抗器、Ｔｒ１，Ｔｒ２…トランジスタ、Ｉ１…漏電電流、Ｉ２…誘導電流、Ｓ１…アナログ信号、Ｓ２…診断用信号、Ｓ３…漏電検出信号、Ｓ４…遮断信号、Ｓ５…正弦波信号、Ｓ６…診断用信号
【図１】
2014011909.tif 000003
【図２】
2014011909.tif 000004
【図３】
2014011909.tif 000005
【図４】
2014011909.tif 000006
【図５】
2014011909.tif 000007